【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
車輪を駆動するモータに電力を供給するバッテリが装着された電動車両であって、
シートの両側に平面視で幅方向よりも車両前後方向に長いアームレストボディを立設し、
該アームレストボディ内部に、バッテリをアームレストボディ上端から挿脱可能に収納する中空のバッテリ収納部を設け、
前記アームレストボディの上端には、前記バッテリ収納部を開閉するアームレストクッションを設けたことを特徴とする電動車両。
【請求項２】
アームレストクッションはアームレストボディ上端にヒンジ結合してバッテリ収納部を開閉可能になっており、前記バッテリ収納部内の少なくとも前端部にパイプ状のアームレストフレームを臨ませ、該アームレストフレームで前記バッテリの少なくとも前端に形成された凹部がガイドされるようにしたことを特徴とする請求項１記載の電動車両。
【請求項３】
前記アームレストボディおよびアームレストクッションは前傾斜に構成され、前記バッテリ収納部に収納されたバッテリは前側の前記アームレストフレームに密着して収納されるようになっていることを特徴とする請求項１又は２記載の電動車両。
【請求項４】
前記バッテリは、その上部に把手部が設けられたカートリッジ式のものであって、前記バッテリ収納部への収納時に該把手部が該バッテリ収納部より突出し、この突出部分を前記アームレストクッションで覆いかつ下方に向けて押圧したことを特徴とする請求項１ないし３のうちのいずれか１項記載の電動車両。
【請求項５】
バッテリと外形寸法が同じで前端部に凹部の形成された物入れボックスを、左右のアームレストボディ内バッテリ収納部のいずれか一方に収容したことを特徴とする請求項１ないし４のうちのいずれか１項記載の電動車両。
【手続補正２】
【補正対象書類名】明細書
【補正対象項目名】０００１
【補正方法】変更
【補正の内容】
【０００１】
【発明の属する技術分野】
本発明は、バッテリを電源とする電動車両に関し、特にバッテリの装着構造を改良した電動車両に関する。
【手続補正３】
【補正対象書類名】明細書
【補正対象項目名】０００２
【補正方法】変更
【補正の内容】
【０００２】
【従来の技術】
モータチェア等の電動車両は、車輪を駆動するためのモータに電力を供給するためのバッテリを備えている。
このバッテリは、椅子の後部に設けられたバッテリ装着部に装着するようになっている（特開平１１−７６３１３号公報、特開平１２−５１２７９号公報参照）。また、椅子の両側のアームレスト下部に設けられたバッテリ装着部に装着するものも知られている。
【手続補正４】
【補正対象書類名】明細書
【補正対象項目名】０００５
【補正方法】変更
【補正の内容】
【０００５】
【課題を解決するための手段】
本発明は、前記目的を達成するため、次の構成を有する。
本発明は、車輪を駆動するモータに電力を供給するバッテリが装着された電動車両であって、シートの両側に平面視で幅方向よりも車両前後方向に長いアームレストボディを立設し、該アームレストボディ内部に、バッテリをアームレストボディ上端から挿脱可能に収納する中空のバッテリ収納部を設け、前記アームレストボディの上端には、前記バッテリ収納部を開閉するアームレストクッションを設けたことを特徴とする電動車両である。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
本発明においては、アームレストクッションはアームレストボディにヒンジ結合してバッテリ収納部を開閉可能なっており、前記バッテリ収納部内の少なくとも前端部にパイプ状のアームレストフレームを臨ませ、該アームレストフレームで前記バッテリの少なくとも前端に形成された凹部がガイドされるようにしたことが好適である。
【手続補正７】
【補正対象書類名】明細書
【補正対象項目名】０００８
【補正方法】変更
【補正の内容】
【０００８】
本発明においては、前記アームレストボディおよびアームレストクッションは前傾斜に構成され、前記バッテリ収納部に収納されたバッテリは前側の前記アームレストフレームに密着して収納されるようになっていることが好適である。
【手続補正８】
【補正対象書類名】明細書
【補正対象項目名】０００９
【補正方法】変更
【補正の内容】
【０００９】
本発明においては、前記バッテリは、その上部に把手部が設けられたカートリッジ式のものであって、前記バッテリ収納部への収納時に該把手部が該バッテリ収納部より突出し、この突出部分を前記アームレストクッションで覆いかつ下方に向けて押圧するようにしたことが好適である。
【手続補正９】
【補正対象書類名】明細書
【補正対象項目名】００１０
【補正方法】変更
【補正の内容】
【００１０】
本発明においては、バッテリと外形寸法が同じで前端部に凹部の形成された物入れボックスを、左右のアームレストボディ内バッテリ収納部のいずれか一方に収容したことが好適である。
【手続補正１０】
【補正対象書類名】明細書
【補正対象項目名】００１１
【補正方法】変更
【補正の内容】
【００１１】
【発明の実施の形態】
以下、図面を参照して本発明に係る電動車両の実施の形態を詳細に説明する。
【手続補正１１】
【補正対象書類名】明細書
【補正対象項目名】００１７
【補正方法】変更
【補正の内容】
【００１７】
図１、図２および図３に示すように、アームレストフレーム６ａ、６ｂはその立設方向の軸が前方向に傾斜して設けられている。このアームレストフレーム６ａ、６ｂの外側は樹脂製などの比較的硬いカバー体２１で被われてアームレストボディ２２を構成している（図８参照）。
このアームレストボディ２２の上部には該ボディ２２上部に渡って前後に長く板状体表面にクッション入りカバーで覆われたアームレストクッション２５が設けられる。アームレストクッション２５は、アームレストフレーム６ｂにヒンジ２６を介して回動自在に取付けられて、この回動によりアームレストボディ２２上部開口を開閉自在に覆っている。アームレストボディ２２の内部は中空になっており、ここをバッテリ収納部（バッテリ収納室）２３としている。アームレストフレーム６ａは、途中に前方向へ折曲された折曲部２７が形成されている。
【手続補正１２】
【補正対象書類名】明細書
【補正対象項目名】００２０
【補正方法】変更
【補正の内容】
【００２０】
車椅子のアームレストは通常のものをとっても地上高は７０ｍｍ前後であり、実施形態の電動車両では、図８に示すようにユーザーの立った状態でバッテリを着脱作業するのに都合が良い。
つまり、図８に示すように、バッテリ３３をバッテリ収納部２３に収納するときは、アームレストクッション２５を持ち上げてバッテリ収納部２３の上部を開放し、把手部３５を持ってバッテリ３３をバッテリ収納部２３内に挿入する。
バッテリ３３は両側の凹部３４がアームレストフレーム６ａの折曲部２７でガイドされながらスライドして受け板３０で保持され、同時に電極３６が端子３１に接触して通電される。
【手続補正１３】
【補正対象書類名】明細書
【補正対象項目名】００２７
【補正方法】変更
【補正の内容】
【００２７】
また、両アームレストボディ２２内にバッテリ３３を収容して長距離走行に対応可能とできるが、図９に示すように、左右一方のアームレストボディ２２内にバッテリ３３を収容し、他方のアームレストボディ２２内にバッテリ３３と同様の外形形状の前端部に凹部の形成された容器状の物入れボックス４８を入れることも可能である。このようにすれば、収納スペースが増えでさらに種々の物品の搭載性が向上し便利である。
【手続補正１４】
【補正対象書類名】明細書
【補正対象項目名】００２８
【補正方法】変更
【補正の内容】
【００２８】
【発明の効果】
以上、説明した通り本発明によれば、シートの両側に設けられたアームレストの内部にバッテリ収納部を設けたので、アームレストボディ内の空いているスペースを有効利用できると共に、バッテリ収納部が肘掛のアームレストクッションより下方であるので、腰を屈めることなく程よい高さの位置でバッテリの交換作業がカートリッジ方式で簡単に行える。
【手続補正１５】
【補正対象書類名】明細書
【補正対象項目名】００２９
【補正方法】変更
【補正の内容】
【００２９】
アームレストクッションはアームレストボディにヒンジ結合してバッテリ収納部を開閉可能にし、前記バッテリ収納部内の少なくとも前端部にパイプ状のアームレストフレームを臨ませ、該アームレストフレームで前記バッテリの少なくとも前端に形成された凹部がガイドされるようにすれば、アームレストフレームで前記バッテリの少なくとも前側に形成された凹部がガイドすることになり、バッテリが挿入に際してまっすぐ容易に装着でき着脱操作が容易であると共に、走行時などにバッテリ収納部内でのバッテリのがたつきを防止できる。
【手続補正１６】
【補正対象書類名】明細書
【補正対象項目名】００３０
【補正方法】変更
【補正の内容】
【００３０】
また、アームレストボディおよびアームレストクッションは前傾斜に構成され、前記バッテリ収納部に収納されたバッテリは前側の前記アームレストフレームに密着して収納されるようにすれば、バッテリはその自重で自動的に前部に押しつけられ、バッテリ収納部でのバッテリ装着時のがたつきを防止できる。
【手続補正１７】
【補正対象書類名】明細書
【補正対象項目名】００３１
【補正方法】変更
【補正の内容】
【００３１】
また、前記バッテリは、その上部に把手部が設けられたカートリッジ式のものであって、前記バッテリ収納部への収納時に該把手部が該バッテリ収納部より突出し、この突出部分を前記アームレストクッションで覆いかつ下方に向けて押圧するようにすれば、前記バッテリの上部の把手部がバッテリ収納部より突出しこの突出部分を前記アームレストクッションで覆うので、アームレストクッションを開くと把手部がアームレストボディの上端より突出して掴み易くなり、また、閉じるとアームレストクッションで把手部が覆いかつ下方に向けて押圧するので、バッテリ収納部内でのバッテリのがたつきを防止できると共にバッテリの電気的接触を良好に維持できる。
【手続補正１８】
【補正対象書類名】明細書
【補正対象項目名】００３２
【補正方法】変更
【補正の内容】
【００３２】
バッテリと外形寸法が同じで前端部に凹部の形成された物入れボックスを、左右のアームレストボディ内バッテリ収納部のいずれか一方に収容すれば、収納スペースが増えてさらに種々の物品の搭載性が向上し便利である。
なお、前記バッテリ収納部の下方に多用途収納部が設けることにより、充電器、予備バッテリ、その他所望の小物類を収納できる。
【手続補正１９】
【補正対象書類名】明細書
【補正対象項目名】図面の簡単な説明
【補正方法】変更
【補正の内容】
【図面の簡単な説明】
【図１】
本発明の実施の形態に係る電動車両の車体フレーム部分の斜視図である。
【図２】
本発明の実施の形態に係る電動車両の側面図である。
【図３】
アームレストの詳細を示す側面図である。
【図４】
アームレストの上面図である。
【図５】
図３のＶ−Ｖ線断面図である。
【図６】
本発明の他の実施の形態に係る電動車両の要部の側面図である。
【図７】
バッテリと充電器を示す斜視図である。
【図８】
電動車両へのバッテリ着脱操作を示す斜視図である。
【図９】
一方のアームレストボディ内に物入れボックスを用いた例の説明図である。
【符号の説明】
１  車体フレーム
２  前輪
３  後輪
４  固定板
５  主フレーム
６ａ、６ｂ  前、後のアームレストフレーム
７  シートフレーム
８  ヒンジ
９  バックシートフレーム
１０  ステアリングシャフト
１１  ユニバーサルジョイント
１２  ステアリングシャフト
１３  ステアリング機構
１５  カバー
１６  電動車両ボディ
１７  カバー
１８  バックシート
２０  アンダーシート
２１  カバー
２２  アームレスト
２２ａ  上縁（合わせ面）
２３  バッテリ収納部
２５  アームレストクッション
２６  ヒンジ
２７  折曲部
３０  バッテリ受け板
３１  端子
３２  メインコントローラ
３３  バッテリ
３４  凹部
３５  把手部
３６  電極
３８  受け板
３９  多用途収納部
４０  充電器
４１  開閉蓋
４２  プラグ
４８  物入れボックス
【手続補正２０】
【補正対象書類名】図面
【補正対象項目名】図１
【補正方法】変更
【補正の内容】
【図１】
2002019655.tif 000001
【手続補正２１】
【補正対象書類名】図面
【補正対象項目名】図２
【補正方法】変更
【補正の内容】
【図２】
2002019655.tif 000002
【手続補正２２】
【補正対象書類名】図面
【補正対象項目名】図３
【補正方法】変更
【補正の内容】
【図３】
2002019655.tif 000003
【手続補正２３】
【補正対象書類名】図面
【補正対象項目名】図４
【補正方法】変更
【補正の内容】
【図４】
2002019655.tif 000004
【手続補正２４】
【補正対象書類名】図面
【補正対象項目名】図６
【補正方法】変更
【補正の内容】
【図６】
2002019655.tif 000005